(57)【要約】【課題】  絵画や写真などの装飾部を備えつつ、空気を清浄する機能を有し、設置方式が選択可能な空気清浄機を提供する。【解決手段】  空気清浄機(10)は、装飾部(21)を一面に備えるとともに他の面に洗浄空気を吹き出す通気孔を備えた直方体形状の筐体(20)と、前記の洗浄空気を供給するために前記の筐体(20)の内部へ空気清浄用フィルタ(31)を配置した空気清浄室(30)と、空気を吸引してから空気供給管(11)を介して前記の空気清浄室(30)へ空気を供給する空気供給装置(40)と、を備える。  空気供給管(11)は着脱自在とし、空気供給管(11)を外した場合にも空気清浄室(30)および空気供給装置(40)は連通する構造として形成する。装飾部(21)は、種々のグラフィックを入れ替えることが可能とする。【選択図】  図１
2016209808.tif 000002
【特許請求の範囲】
【請求項１】
装飾部を一面に備えるとともに他の面に洗浄空気を吹き出す通気孔を備えた直方体形状の筐体と、
前記の洗浄空気を供給するために前記の筐体の内部へ空気清浄用フィルタを配置した空気清浄室と、
空気を吸引してから空気供給管を介して前記の空気清浄室へ空気を供給する空気供給装置と、を備え、
前記の空気供給管は着脱自在とし、空気供給管を外した場合にも空気清浄室および空気供給装置は連通する構造として形成した空気清浄機。
【請求項２】
前記の空気清浄室は、袋体として形成した請求項１に記載の空気清浄機。
【請求項３】
前記の空気供給装置は、空気を吸引する際に通過する第二空気清浄用フィルタを備えた請求項１または請求項２に記載の空気清浄機。
【請求項４】
前記の装飾部は、種々のグラフィックを入れ替えることが可能であるように形成した請求項１、請求項２または請求項３に記載の空気清浄機。
【発明の詳細な説明】
【技術分野】
【０００１】
本発明は、絵画や写真などのグラフィック等の装飾部を一面に有する筐体を備えた空気清浄機に関する。
【背景技術】
【０００２】
空気清浄機は、ハウスダストの除去、花粉症の軽減などを目的として普及している。近年では、室温調整のための空気調和機に空気清浄機能を付加したものも提供されている。
【０００３】
さて、空気清浄機には、濾材（フィルタ）を備えたものがほとんどである。濾材として絵画面を用いることで、空気清浄機という機械に、観賞の機能を付加したものも提供されている。
たとえば、壁掛け式の空気清浄機として、特許文献１、特許文献２、特許文献３に示すような技術が開示されている。絵画面を濾材とした筐体の内部に、空気を送風する送風機等を備える。前記の送風機によって、絵画面の濾材を介して吸入する空気を洗浄し、この洗浄した空気を室内へ吹き出すものである。
壁掛け式の空気清浄機は、床に専有面積が不要であるため、室内空間を有効に使えるというメリットがある。
【先行技術文献】
【特許文献】
【０００４】
【特許文献１】特開平１１−２１６３２０号公報
【特許文献２】特開２００１−１２９３３号公報
【特許文献３】特許第３１９８３８０号公報
【発明の概要】
【発明が解決しようとする課題】
【０００５】
特許文献１、特許文献２、特許文献３のいずれにおいても、筐体の内部に設けた送風機によって、室内の空気が絵画面の濾材を通過して吸入されることで洗浄空気となり、この洗浄空気が筐体の他の面に設けた吹き出し口から室内へ排出される。
いずれの場合も、絵画面が濾材であることから、濾材を通過して吸入される単位時間当たりの空気量、つまり空気清浄能力に制限がある。
また、壁掛け式、床置き式のいずれかを選択する場合、空気清浄機そのものを選択した後に変更することはできない。すなわち、設置方式を変更したい場合には、新たに購入しなければならない。
【０００６】
更に、壁掛け式の場合には、モータや送風機などの機械部品をも壁に掛けることとなるため、壁に対する負荷が大きい。落下してしまった場合には、床や壁や空気清浄機が破損するおそれがあるだけでなく、人に対する危険度も大きくなる。前記の機械部品は、交流電源からの電気エネルギにて稼働するため、配線も必要となる。
【０００７】
本発明が解決しようとする課題は、絵画や写真などの装飾部を備えつつ、空気を清浄する機能を有し、設置方式が選択可能な空気清浄機を提供することにある。
【課題を解決するための手段】
【０００８】
（第一の発明）
第一の発明は、  装飾部(21)を一面に備えるとともに他の面に洗浄空気を吹き出す通気孔(27,27,・・・)を備えた直方体形状の筐体(20)と、  前記の洗浄空気を供給するために前記の筐体(20)の内部へ空気清浄用フィルタ(31)を配置した空気清浄室(30)と、  空気を吸引してから空気供給管(11)を介して前記の空気清浄室(30)へ空気を供給する空気供給装置(40)と、を備え、
前記の空気供給管(11)は着脱自在とし、空気供給管(11)を外した場合にも空気清浄室(30)および空気供給装置(40)は連通する構造として形成した空気清浄機(10)に係る。
【０００９】
（作用）
室内の空気は、空気供給装置(40)によって吸引され、空気供給管(11)を介して筐体(20)の内部の空気清浄室(30)へ供給される。空気清浄室(30)では、空気供給管(11)を経て供給された空気が空気清浄用フィルタ(31)を通過する際に浄化される。
浄化された清浄空気は、筐体(20)における装飾部(21)の一面ではない他の面の通気孔(27,27,・・・)から室内へ吹き出される。空気供給装置(40)を筐体(20)の外部に設けたことで、室内の空気を強力に吸引できるので、空気清浄能力が向上する。室内の空気は、筐体(20)内の空気清浄用フィルタ(31)によって洗浄された空気を再び室内へ吹き出して循環することで浄化される。
【００１０】
空気供給管(11)は、着脱可能である。空気供給管(11)を装着したままであれば、壁掛け式または自立式の空気清浄機として用いることができる。空気供給管(11)を外せば、床置き式の空気清浄機として用いることができる。
比較的重量のある空気供給装置(40)が床に近いので、壁掛け式または自立式の空気清浄機として用いても、床や壁を破損させたり、室内にいる人に対する安全性を損ねたりしにくい。前記の空気供給装置(40)を構成する機械部品は、交流電源からの電気エネルギにて稼働するが、その配線も床の上の上で済むこととなる。
筐体(20)における一面の装飾部(21)は、室内を使用する者の好みで用意すればよい。この装飾部(21)を空気の浄化に用いるのではないので、交換の必要はない。
【００１１】
（第一の発明のバリエーション１）
第一の発明は、以下のようなバリエーションを提供することもできる。
すなわち、  空気清浄室(30)が、袋体(31)である。
【００１２】
（作用）
空気清浄室(30)を袋体(31)とすることで、筐体(20)の内部に任意の大きさにすることが容易であるので、筐体(20)が厚さの小さい直方体形状であっても、空気洗浄能力の向上を図ることができる。
【００１３】
（第一の発明のバリエーション２）
第一の発明は、以下のようなバリエーションを提供することもできる。
すなわち、  空気供給装置(40)は、空気を吸引する際に通過する第二空気清浄用フィルタ(43)を備えることができる。
【００１４】
（作用）
空気供給装置(40)に第二空気清浄用フィルタ(43)を備えることで、筐体(20)の内部の空気清浄用フィルタ(31)と協働して例えば室内の空気を浄化する能力が向上する。
【００１５】
（第一の発明のバリエーション３）
第一の発明は、以下のようなバリエーションを提供することもできる。
すなわち、  装飾部(21)は、種々のグラフィックを入れ替えることが可能とすることができる。
【００１６】
（作用）
装飾部(21)は、種々のグラフィックを入れ替えることで、新たな雰囲気が簡単にもたらされる。
【発明の効果】
【００１７】
第一の発明によれば、絵画や写真などの装飾部を備えつつ、空気を清浄する機能を有し、設置方式が選択可能な空気清浄機を提供することができた。
【図面の簡単な説明】
【００１８】
【図１】本発明の実施形態の空気清浄機の斜視図である。
【図２】図１の空気清浄機における筐体の上から視た横断面図である。
【図３】図１の空気清浄機における筐体の正面から視た縦断面図である。
【図４】図１の空気清浄機における空気供給装置の正面から視た縦断面図である。
【図５】図１の空気清浄機における空気供給装置の上から視た横断面図である。
【図６】本発明の他の実施形態の空気清浄機の斜視図である。
【図７】本発明の他の実施形態の空気清浄機の斜視図である。
【発明を実施するための形態】
【００１９】
以下、本発明の実施形態について図面を参照して説明する。
本実施形態に係る空気清浄機１０は、図１に示すように、絵画や写真などのグラフィック等の装飾部２１を一面に有する直方体形状の筐体２０と、筐体２０の内部へ配置した空気清浄室３０と、前記の空気清浄室３０へ空気を供給する空気供給装置４０と、を備える。
【００２０】
本実施形態の空気清浄機１０は、筐体２０における一面の装飾部２１が例えば室内などの周囲を明るい雰囲気にすることを目的としているので、装飾部２１の面積は壁掛け式の額縁のように大きいものである。すなわち、筐体２０は、装飾部２１の縦横の寸法が大きく、幅（奥行）寸法が小さい直方体形状である。
装飾部２１は、絵画や写真などの種々のグラフィックを差し替えできるように形成している。本実施形態では、図２に示すように、透過フィルム画像２１ｃなどを照らす導光板２１ａを装飾部２１とし、前記の導光板２１ａの両側縁から光を導入するＬＥＤ２１ｂ，２１ｂを備えている。
【００２１】
筐体２０において装飾部２１の一面を除く他の面は、図２に示すように、洗浄空気を吹き出す通気孔２７を多数備えている。すなわち、筐体２０の上面２２、左側面２４、右側面および裏面が、多数の通気孔２７，２７，・・・を備えている。本実施形態では、各通気孔２７，２７，・・・は、図３に示すように、例えば、左側面２４、右側面２５および裏面２６では、縦方向に長い長方形であるが、この限りではない。
【００２２】
本実施形態では、筐体２０の上面２２は、メンテナンス用に開閉可能な蓋部としている。この蓋部２２に多数の通気孔２７，２７，・・・を形成することができる。
また、本実施形態では、筐体２０の下面２３は、空気を供給する上側空気供給口２８を備えている。
図１の筐体２０は、例えば室内の壁に掛けるが、この場合、筐体２０における裏面２６の多数の通気孔２７，２７，・・・から洗浄空気を吹き出すことが可能となるように、筐体２０の裏面２６と壁面との間に間隔を設ける必要がある。
【００２３】
空気清浄室３０は、図２および図３に示すように、空気を浄化するための空気清浄用フィルタ（たとえば活性炭フィルタ）３１を備えている。本実施形態では、空気清浄用フィルタ３１が、筐体２０の下面２３に備えた上側空気供給口２８から空気を取り入れるように開口が下方に位置する下向きの袋体で構成している。しかし、空気清浄室３０は、材質や形状などの形態は、特に限定されない。
【００２４】
前記の袋体３１は、図２および図３に示すように、外側をフィルタ用ホルダ３２にて、横断面が半円形状で、かつ上向きの半たまご型に抑えられている。なお、フィルタ用ホルダ３２は、例えば大きな籠目などの格子を有するかご形状で形成することができる。
さらに、袋体３１は、前記の横断面で半円形状のうちの平面部分が装飾部２１の裏面に固定され、前記の横断面で半円形状のうちの円形部分が筐体２０の裏面２６とほとんど接触しないように形成されている。その結果、袋体３１のフィルタを通過して浄化された空気が、筐体２０の裏面２６に備えた多数の通気孔２７，２７，・・・から効率よく吹き出すことになる。
【００２５】
以上のように、空気清浄室３０を袋体３１とすることで、筐体２０の内部に任意の大きさにすることが容易であるので、筐体２０が厚さの小さい直方体形状であっても、空気洗浄能力の向上を図ることができる。
【００２６】
前記の袋体３１は、本実施形態では、空気浄化の性能が高い炭フィルタで構成している。炭フィルタとして、例えば活性炭フィルタは、活性炭によって空気に含んでいる有害成分や臭気を除去するための空気清浄用フィルタ３１である。活性炭は、粒状に加工することで、気体や液体に含まれる不純物を吸着する性質を活性化した炭である。活性炭フィルタは、ウレタンなどの発泡樹脂材のシートや不織布などに粉末活性炭を含浸して形成することができる。
空気清浄用フィルタ３１としては、上記の炭フィルタに限定されず、他の形態のフィルタでもよい。例えば、不織布、織布あるいは紙などの繊維素材、あるいはガラス繊維素材で成形されたフィルタなどがある。
【００２７】
空気供給装置４０は、図４および図５に示すように、平面状の底面を有する筒形状の装置本体４１と、装置本体４１の長手方向のほぼ中央の上面に設けた下側空気供給口４２と、例えば室内の空気を吸引して下側空気供給口４２から空気供給管１１を介して筐体２０の空気清浄室３０へ空気を供給するための送風機５０と、を備えている。
空気供給管１１は、空気供給装置４０の下側空気供給口４２と筐体２０の下面２３の上側空気供給口２８とを連結し、空気を供給する管である。図６に示しているように、空気供給管１１を外しても空気清浄機として機能する。
装置本体４１における長手方向の両端の開口は、空気洗浄可能な第二空気清浄用フィルタ４３にて閉塞されている。
【００２８】
送風機５０は、前記の下側空気供給口４２の真下に設けたファン（たとえばシロッコファン）５１と、このファン５１の回転軸５２を回転可能に支持する上部軸受部５２ａおよび下部軸受部５２ｂを備える。さらに、ファン５１の回転軸５２に備えたウォーム歯車５３と、ウォーム歯車５３と噛合するウォーム５４と、ウォーム５４の回転軸５５を回転可能に支持するウォーム側軸受部５５ａを備える。さらに、ウォーム５４の回転軸５５を回転駆動するモータ５６と、を備える。また、モータ５６の回転をＯＮ・ＯＦＦするためのスイッチ５７が装置本体４１の側面に設けられている。
上部軸受部５２ａは、装置本体４１の上面２２に設けた皿形状の軸受用ブラケット５２ｃに支持されており、軸受用ブラケット５２ｃの側面は多数の通気孔５２ｄ，５２ｄ，・・・を形成している。
【００２９】
次に、本実施形態の空気清浄機１０の作用について説明する。
スイッチ５７をＯＮしてモータ５６を回転すると、回転するウォーム５４およびウォーム歯車５３を介してファン５１の回転軸５２が回転し、ファン５１が回転する。これによって、図１に示すように、例えば室内の空気が装置本体４１における長手方向の両端の第二空気清浄用フィルタ４３を経て吸引される。図４に示すように、吸引される空気は第二空気清浄用フィルタ４３によって浄化され、軸受用ブラケット５２ｃにおける側面の多数の通気孔５２ｄ，５２ｄ，・・・を通過してから下側空気供給口４２を経て空気供給管１１を上昇する。
【００３０】
空気供給管１１内の空気は、図２および図３に示すように、筐体２０の下面２３の上側空気供給口２８から空気清浄室３０、すなわち炭フィルタの袋体３１内へ流入する。さらに袋体３１内の空気は炭フィルタを通過してさらに浄化されてから、筐体２０内へ吹き出される。さらに、筐体２０内の清浄空気は、図１に示すように、筐体２０の上面２２、左側面２４、右側面２５および裏面２６の多数の通気孔２７，２７，・・・を経て室内へ吹き出される。
【００３１】
以上のように、室内の空気は空気清浄機１０によって循環されることで浄化されることになる。空気供給装置４０を筐体２０の外部に設けたことで、室内の空気を強力に吸引できるので、空気清浄能力を高めることができる。室内の空気は、筐体２０内の空気清浄用フィルタ３１によって洗浄した空気を再び室内へ吹き出して循環することで浄化される。
【００３２】
空気供給装置４０から空気供給管１１を介して筐体２０へ空気を供給できるので、空気供給装置４０を所望の位置に配置することができる。その結果、室内の空気を循環する範囲を拡大することができる。
筐体２０における一面の装飾部２１が例えば室内などの周囲を明るい雰囲気にする効果がある。例えば、本実施形態における透過フィルム画像２１ｃなどを照らす導光板２１ａは、両側縁のＬＥＤ２１ｂ，２１ｂから光を導入することで鮮明な画像を映し出すことができる。装飾部２１は、絵画や写真などの種々のグラフィックを差し替えできるので、模様替えが簡単に行える。
比較的重量のあるファン５１やモータ５６が床に近いので、空気供給管１１よりも下方に位置する。壁掛け式または自立式の空気清浄機として用いても、床や壁を破損させたり、室内にいる人に対する安全性を損ねたりしにくい。前記のファン５１やモータ５６は、交流電源からの電気エネルギにて稼働するが、その配線も床の上で済むこととなる。
【００３３】
他の実施形態の空気清浄機１０ａについて説明する。
空気清浄機１０ａは、図６に示すように、基本的には、前述の図１の空気清浄機１０とほぼ同様であり、異なる点としては、図１の空気清浄機１０は壁掛け式であるが、図６の空気清浄機１０ａは床置き式である。空気清浄機１０ａは、空気供給管１１を短くして筐体２０と空気供給装置４０を直結したものである。なお、空気供給管１１は外部に露出していない。図６では、空気清浄機１０ａが床に載置された状態を示しており、簡単に移動できる。
【００３４】
他の実施形態の空気清浄機１０ｂについて説明する。
空気清浄機１０ｂは、図７に示すように、基本的には、前述の図１の空気清浄機１０とほぼ同様である。図１の空気清浄機１０は壁掛け式と異なり、図７の空気清浄機１０ｂは筐体２０を脚部１２，１２，１２，１２にて固定した自立式である。広い床の部屋に設置するのに適しており、設置・移動・撤去も簡単に行える。
【産業上の利用可能性】
【００３５】
本発明は、室内装飾関連の製造、販売、インテリア、建設業、電気製品の製造および販売、家具の製造および販売、空調設備の製造および販売などにおいて、利用可能性を有する。
【符号の説明】
【００３６】
１０，１０ａ，１０ｂ；空気清浄機        １１  ；空気供給管
２０  ；  筐体                          ２１  ；装飾部
２１ａ；導光板                          ２１ｂ；ＬＥＤ
２１ｃ；透過フィルム画像                ２２  ；上面（蓋部）
２３  ；下面                            ２４  ；左側面
２５  ；右側面                          ２６  ；裏面
２７  ；通気孔                          ２８  ；上側空気供給口
３０  ；空気清浄室                      ３１  ；空気清浄用フィルタ (袋体)
３２  ；フィルタ用ホルダ
４０  ；空気供給装置                    ４１  ；装置本体
４２  ；下側空気供給口                  ４３  ；第二空気清浄用フィルタ
５０  ；送風機                          ５１  ；ファン
５２  ；回転軸                          ５３  ；ウォーム歯車
５４  ；ウォーム                        ５５  ；回転軸
５６  ；モータ
【図１】
2016209808.tif 000003
【図２】
2016209808.tif 000004
【図３】
2016209808.tif 000005
【図４】
2016209808.tif 000006
【図５】
2016209808.tif 000007
【図６】
2016209808.tif 000008
【図７】
2016209808.tif 000009